(57)【特許請求の範囲】
【請求項１】
造営面に埋め込み配設されるとともに電力線と情報線とが接続され、造営面より突出したボディ前部の少なくとも一側面に電力供給口と、情報路接続口とをモジュール化して形成した接続口を備えた１乃至複数のゲート装置と、前記ゲート装置の電力供給口及び情報路接続口に着脱可能に接続されるコネクタを備えるとともに、各々固有の機能部を有する複数種類の機能モジュールとから成り、
前記複数種類の機能モジュールの間で共用されるように、前記ゲート装置の電力供給口と情報路接続口の配置及び形状の形態と、前記機能モジュールのコネクタの形態とを定形とし、１つのゲート装置に対して前記複数種類の機能モジュールの何れかが接続され、
前記機能モジュールのコネクタは、前記ゲート装置の一側面に対向する一側面に、前記電力供給口に接続されて前記ゲート装置から電力供給を受ける電力用接続口及び前記情報路接続口に接続され前記ゲート装置との間で情報信号の授受を行う情報用接続口を少なくとも備え、
前記ゲート装置及び機能モジュールは、前記ゲート装置の電力供給口及び情報路接続口と前記機能モジュールの電力用接続口及び情報用接続口とが着脱可能に接続されて、ゲート装置から機能モジュールへの給電を行う接続と、ゲート装置と機能モジュールとの間での信号伝送を行う接続の両方を同時に確立し、前記機能モジュールは、前記ゲート装置に機械的に連結されて前記ゲート装置の側方の前記造営面に沿うように配置されることを特徴とする配線システム。
【請求項２】
前記ゲート装置のボディ前面には外部負荷への電源供給用のプラグ接続部を設けて成ることを特徴とする請求項１記載の配線システム。
【請求項３】
前記ゲート装置のボディ前面には外部負荷の電力の入切を行うスイッチ手段を備えていることを特徴とする請求項１記載の配線システム。
【発明の詳細な説明】
【技術分野】
【０００１】
本発明は、情報と負荷の電力とを同時に送ることができる配線システムに関する。
【背景技術】
【０００２】
従来、端末器を通じて負荷の操作（監視）制御を行うシステムには、端末器へ中央監視装置から複極のベースバンド信号からなる伝送信号を時分割多重によって送り、各端末器ではこの伝送信号を利用して情報の授受を行うとともに、端末回路部の電源を得るシステムがあった（特許文献１）。
【０００３】
そしてこのシステムでは、埋め込み型の配線器具用に規格されているスイッチボックスとこれに対応する取付枠を用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、夫々の取付窓に操作用端末器を取り付けることで、２つの操作用端末器を併設する構成を採用していた。また取付窓間に設けた導電片を両側の取付窓に設けた操作用端末器のリード片を接触させることで、一方の操作用端末器（スイッチボックス側）から他方の操作用端末器へ信号線を送り配線する構成となっている。
【特許文献１】特許第３１３６００６号公報（段落番号０００４，０００５、００１５、図１、図３７）
【発明の開示】
【発明が解決しようとする課題】
【０００４】
ところで、上述のシステムでは伝送信号により端末器の端末回路部に電力を供給することができるものの、例えば信号線の電流容量等の制限から制御用端末器により制御される負荷への電源供給は夫々の設置場所において商用電源から供給する構成であった。そのため、２線の信号線を各端末器間で接続するだけでよいため、信号線について省配線化を図ることできるものの、負荷に対する電源線の配線が従前のままであるため、制御用端末器の設置場所が限定されるという課題があった。
【０００５】
しかも端末器は監視対象からのデータの取り込みか或いは制御データに基づいた負荷の制御かの機能しかなく、それ自体が独自の機能を持つものではなく、多様な機能を展開できるものではなかった。
【０００６】
本発明は、上述の点に鑑みて為されたもので、その目的とするところは、ゲート装置に対して機能モジュールを連結するだけで、多種多様な機能を持つシステム構築が可能な配線システムを提供することにある。
【課題を解決するための手段】
【０００７】
上述の目的を達成するために、請求項１の発明では、造営面に埋め込み配設されるとともに電力線と情報線とが接続され、造営面より突出したボディ前部の少なくとも一側面に電力供給口と、情報路接続口とをモジュール化して形成した接続口を備えた１乃至複数のゲート装置と、前記ゲート装置の電力供給口及び情報路接続口に着脱可能に接続されるコネクタを備えるとともに、各々固有の機能部を有する複数種類の機能モジュールとから成り、前記複数種類の機能モジュールの間で共用されるように、前記ゲート装置の電力供給口と情報路接続口の配置及び形状の形態と、前記機能モジュールのコネクタの形態とを定形とし、１つのゲート装置に対して前記複数種類の機能モジュールの何れかが接続され、前記機能モジュールのコネクタは、前記ゲート装置の一側面に対向する一側面に、前記電力供給口に接続されて前記ゲート装置から電力供給を受ける電力用接続口及び前記情報路接続口に接続され前記ゲート装置との間で情報信号の授受を行う情報用接続口を少なくとも備え、前記ゲート装置及び機能モジュールは、前記ゲート装置の電力供給口及び情報路接続口と前記機能モジュールの電力用接続口及び情報用接続口とが着脱可能に接続されて、ゲート装置から機能モジュールへの給電を行う接続と、ゲート装置と機能モジュールとの間での信号伝送を行う接続の両方を同時に確立し、前記機能モジュールは、前記ゲート装置に機械的に連結されて前記ゲート装置の側方の前記造営面に沿うように配置されることを特徴とする。
【０００８】
請求項１の発明によれば、ゲート装置に機能モジュールを連結するだけで、機能モジュールへの電力路の確保と、情報信号の情報路の確保が同時に行え、しかも機能モジュールの造営面への配設も行えるため施工性に優れ、しかも機能モジュールの機能によって多種多様なシステムを構築でき、さらに機能モジュールを何れのゲート装置にもレイアウトフリーで連結することができる。また、ゲート装置の電力供給口及び情報路接続口に対応した電力用接続口及び情報用接続口を備えた機能モジュールであれば使用できるため、汎用性に富み、多種多様なシステム展開が容易となる。更に、機能モジュールをゲート装置に連結するだけで機能モジュールを造営面に沿うように配設することができ、そのため機能モジュールを配設するための特別な施工が不要な上に、ゲート装置からの電力供給を受けられ、また情報信号の授受が行えるため、拡張性に優れている。
【０００９】
請求項２の発明では、請求項１の発明において、前記ゲート装置のボディ前面には外部負荷への電源供給用のプラグ接続部を設けて成ることを特徴とする。
【００１０】
請求項２の発明によれば、ゲート装置から外部負荷の電源を得ることができ、従来の埋め込み型コンセント等の配線器具としての役割も果たせる。
【００１１】
請求項３の発明では、請求項１の発明において、前記ゲート装置のボディ前面には外部負荷の電力の入切を行うスイッチ手段を備えていることを特徴とする。
【００１２】
請求項３の発明によれば、外部負荷の電力の入切をする壁スイッチ等の配線器具としての役割も果たせる。
【発明の効果】
【００１３】
本発明は、ゲート装置に機能モジュールを連結するだけで、機能モジュールへの電力路の確保と、情報信号の情報路の確保が同時に行え、しかも機能モジュールの造営面への配設も行えるため施工性に優れ、しかも機能モジュールの機能によって多種多様なシステムを構築でき、さらに機能モジュールを何れのゲート装置にもレイアウトフリーで連結することができるという効果がある。
【発明を実施するための最良の形態】
【００１４】
以下本発明の実施形態を説明する。
（実施形態１）
本実施形態の配線システムは、図２に示すように建物内の天井付近のハイポジションＨＰや、壁スイッチ等に対応するミドルポジションＭＰ、足元付近のローポジションＬＰにおいて埋め込み配設している１乃至複数のスイッチボックス２を基本ベースとして用いる。これらのスイッチボックス２間には壁面内に先行配線した電力線Ｌ１と、情報線Ｌ２とを送り配線するとともに、始端のスイッチボックス２に対しては配線ボックス１内に引き込まれ主幹ブレーカＭＢと、分岐ブレーカＢＢとを介して屋内に引き込まれて電力線Ｌ１を導入し、また外部のインターネット網ＮＴにゲートウェイＧＷ（必要に応じてルータ、ハブ）を介して接続されている情報線Ｌ２を導入してある。
【００１５】
これらのスイッチボックス２は、図３に示すように上部から配電ボックス１又は他のスイッチボックス２から送り配線されてくる電力線Ｌ１及び情報線Ｌ２を導入するとともに、下部からは他のスイッチボックス２へ送り配線するための電力線Ｌ１及び情報線Ｌ２の導出している。
【００１６】
そして各スイッチボックス２には図１に示すゲート装置３を取付けてある。このゲート装置３はボディ３Ａの背面部に設けている速結端子を内蔵した端子部５ａ，５ｂ、５ａ’，５ｂ’（図３参照）に電力線Ｌ１、情報線Ｌ２を接続するようになっており、下部側に接続される電力線Ｌ１，情報線Ｌ２は他のスイッチボックス２のゲート装置３への送り配線となる。この
ゲート装置３は、合成樹脂製のモジュール本体３Ａ内に図５に示す回路を内蔵しているもので、周部のフランジをスイッチボックス２の前面開口周辺の壁面（造営面）に重ねた状態となり、その状態で上、下部の中央に穿孔している取付孔８０に取り付けねじ（図示せず）を前面部側から挿通させてスイッチボックス２にねじ孔２ａに螺入締結することでスイッチボックス２に取り付けられる。
【００１７】
またモジュール本体３Ａの前面部には、上、下の取付孔８０の開口位置より上又は下側位置において、図１に示すようにモジュール本体３Ａの幅方向に幅広溝８１ａと幅狭溝８１ｂとからなる連結用溝部８１を中央の仕切壁８２で左右に二分されるように形成している。
【００１８】
この仕切壁８２の左側又は右側の連結用溝部８１には図６（ｂ）に示す合成樹脂製の連結体１０の片側半分を図６（ａ）に示すように仕切壁８２に当たる位置まで嵌め込み、この連結体１０の残り半分を後述する機能モジュール９側に同様に設けてある連結用溝部８１に嵌め込むことで、ゲート装置３と機能モジュール９とを機械的に結合できるようになっている。連結体１０は背面に幅広溝８１ａ，幅狭溝８１ｂを仕切る仕切壁８１ｃが嵌る溝１０ａを設け、両溝８１ａ、８１ｂに跨るように挿入される。そして前面部側から化粧カバー８Ｂを着脱自在に被着することで、連結用溝部８１に嵌め込んである連結体１０が脱落しないように保持して結合状態を維持するようになっている。而して連結体１０と連結用溝部８１とがゲート装置３と機能モジュール９との結合手段を構成する。また前面部には商用電源ＡＣのプラグ接続部たるコンセント部３７を設けており、この前面部に化粧カバ３Ｂが被着されると、化粧カバー３Ｂの中央の窓孔３Ｃからコンセント部３７が露出するようになっている。このコンセント部３７の前面部にも化粧カバー３Ｄが被着される。
【００１９】
このように構成されたゲート装置３は、図５に示すように、端子部５ａを介して接続される商用電源ＡＣを所定電圧に降下させるとともに周波数を高くし、この高い周波数に変換した低圧交流電源をコア１１に巻装したコイル１２に印加するＡＣ／ＡＣコンバータ１３と、低圧交流電源を整流平滑後、安定した直流電圧からなる内部回路の動作電源＋Ｖを得る直流電源部１４と、端子部５ｂを介して接続される情報線Ｌ２を通じて双方向に伝送される情報信号を送受信部１５と、情報線Ｌ２を介して受信される情報信号をＥ／Ｏ変換して発光素子ＬＥＤを通じて送出するするＥ／Ｏ変換部１６と、後述する機能モジュール９側から送られくる光信号からなる情報信号を受光素子ＰＤで受光してＯ／Ｅ変換して送受信部１５に渡すＯ／Ｅ変換部１７とを備えるとともに、ＡＣ／ＡＣコンバータ１３の入力側に接続される電力路にはコンセント部３７が接続され、商用電源ＡＣをコンセント部３７から外部負荷へ供給できるようになっている。
【００２０】
前記コイル１２及びコア１１は、ゲート装置３と連結する機能モジュール９に電力を非接触で供給するための給電手段を構成するトランスの一次側となる電磁結合部を構成するもので、連結する機能モジュール９（図８参照）側に設けたコイル１８を巻回したコア１９にコア１１が磁気結合してトランス作用によりコイル１８側に低圧交流電源電圧を誘起させて電源供給を行うようになっている。ここでＡＣ／ＡＣコンバータ１３により商用周波数よりも周波数が高い交流電源に変換することで、電磁結合部によるトランス構成の小型化を図っている。
【００２１】
一方Ｅ／Ｏ変換部１６の発光素子ＬＥＤは隣接する機能モジュール９に情報信号を光信号により非接触で伝達するためのもので、連結された機能モジュール９側のＯ／Ｅ変換部２０に設けた受光素子ＰＤに対置される。またＯ／Ｅ変換部１７の受光素子ＬＥＤは隣接する機能モジュール９から光信号により伝達されてくる情報信号を受け取るためのもので、連接する機能モジュール９側のＥ／Ｏ変換部２１の発光素子ＬＥＤに対置される。
【００２２】
そしてコア１１とコイル１２とからなる電磁結合部は図５では１組しか示していないが実際には電気的に並列な２組備え、またＥ／Ｏ変換部１６の発光素子ＬＥＤ，Ｏ／Ｅ変換部１７の受光素子ＰＤも夫々に別の発光素子ＬＥＤ、受光素子ＰＤを接続しており、モジュール本体３Ａの両側において側壁に近接する内部位置に夫々１組ずつ夫々配置している。
【００２３】
ここで発光素子ＬＥＤの発光部及び受光素子ＰＤの受光部が対向するモジュール本体３Ａの側壁部位は光信号が透過可能なように透明部Ｙとしてある。尚モジュール本体３Ａの両側では、受光素子ＬＥＤと、発光素子ＰＤの位置が上、下で逆になるように配置され、例えば右側では受光素子ＬＥＤを上、発光素子ＰＤを下とし、左側では受光素子ＬＥＤを下、発光素子ＰＤを上としてある。そして電磁結合部を構成するコア１１の先端部の配置位置と、受光素子ＬＥＤ及び発光素子ＰＤの配置位置の上下間隔は規格化している。
【００２４】
本実施形態の配線システムでは、電力供給を受けて動作する機能によって複数の種類の機能モジュール９が準備されているが、基本的にはモジュール本体９Ａの高さ寸法をゲート装置３と同じ高さ寸法に規格化され、また横幅寸法も規格化された単位モジュール寸法の整数倍に規格化され、またモジュール本体９Ａの両側面の形状はゲート装置３の側面と同形状とし、また背面を平坦な面に形成して壁面に沿わせることができるようにしている。そして上下位置には上述の連結体１０をゲート装置３と同様に挿入するための幅広溝８１ａ、幅狭溝８１ｂからなる連結用溝部８１を設けるとともに、この連結用溝部８１を開閉する蓋部８３を設け、連結体１０を装着する際や外す場合にはこの蓋部８３を開き、連結体１０の装着状態を保持する際には図７（ａ）に示すように閉じるようになっている。
【００２５】
モジュール本体９内には図８に示すように上述のコイル１８、コア１９からなる電磁結合部を２組備えて、モジュール本体９Ａの両側壁に近接する内部に配置するとともに、夫々のコイル１８同士を電気的に接続し、片側の電磁結合部が隣接するゲート装置３又は機能モジュール９の電磁結合部と電磁結合して電力を受け取る側（二次側）となると、他方の電磁結合部が電力供給側（一次側）となるようになっている。これらの電磁結合部を構成するコア１９の先端が近接配置されるモジュール本体９Ａの側面位置が磁気結合部位Ｘとなる。また両電磁結合部のコイル１６，１６間を接続する線路には直流電源部２２を接続し、内部回路の動作電源＋Ｖを得るようになっている。
【００２６】
更に情報信号を授受するために、モジュール本体９Ａ内には連結するゲート装置３又は機能モジュール９から送られてくる光信号からなる情報信号を受光素子ＰＤで受光して電気的な信号に変換するＯ／Ｅ変換部２０と、電気信号からなる情報信号を隣接するゲート装置３又は９へ光信号からなる情報信号として発光素子ＬＥＤで送り出すためのＥ／Ｏ変換部２１と、Ｏ／Ｅ変換部２０からの電気信号からなる情報信号を受け取るとともに、電気信号からなる情報信号をＥ／Ｏ変換部２１へ送り出す情報信号送受信部２３とからなる情報信号送受信手段を二組設け、一方の発光素子ＬＥＤと受光素子ＰＤをモジュール本体９Ａの左側側壁近傍の内部に、また他方の伝送処理部の発光素子ＬＥＤと受光素子ＰＤをモジュール本体９Ａの右側側壁近傍の内部に配置してある。ここで左側に配置される発光素子ＬＥＤの位置は受光素子ＰＤの下側に、また右側に配置される発光素子ＬＥＤの位置は受光素子ＰＤの上側に夫々を配置し、左側に連結されるゲート装置３又は機能モジュール９の右側に配置されている発光素子ＬＥＤ、受光素子ＰＤに、左側配置した受光素子ＰＤ、発光素子ＬＥＤが夫々対向し、また右側に連結されるゲート装置３又は機能モジュール９の左側に配置されている発光素子ＬＥＤ、受光素子ＰＤに右側配置した受光素子ＰＤ、発光素子ＬＥＤが夫々対向するようになっている。そして発光素子ＬＥＤ、受光素子ＰＤが対向しているモジュール本体９Ａの側壁は光信号が透過できるようにゲート装置３と同様に透明部Ｙとなっている。そして両側の情報信号送受信部２３，２３間をモジュール本体９Ａ内において、双方向の信号ライン２４で接続して、両側に隣接するゲート装置３又は機能モジュール９に対して情報信号伝達を中継できるようになっている。
【００２７】
またモジュール本体９Ａ内には、信号ライン２４上の情報信号を受信するとともに、信号ライン２６上に情報信号を送出する送受信部２５と、この送受信部２５で受信される情報信号からデータを取り込んで処理を行うとともに、当該機能モジュール９から他の機能モジュール９宛にデータを送る場合のデータ生成処理を行う演算処理部２６と、Ｉ／Ｏインターフェース２７を介して演算処理部２６との間でデータの授受を行って動作する機能部３０とから構成され、これら各部は動作電源＋Ｖを前記の直流電源部２２から供給されるのである。この機能部３０の構成が機能モジュール９によって異なるのである。
【００２８】
ここで機能モジュール９のモジュール本体９Ａの側面に磁気結合部位Ｘ及び透明部Ｙが形成される位置は、図１（ａ）で示すゲート装置３の側面の磁気結合部位Ｘ及び透明部Ｙの位置と合うように規格化され、機能モジュール９、９同士を連結させたとき或いはゲート装置３と機能モジュール９とを連結させてときに面接する側面側の磁気結合部位Ｘ、Ｘ同士及び、透明部Ｙ，Ｙ同士が夫々対向するようになっている。つまりゲート装置３の磁気結合部位Ｘが電力供給口となり、機能モジュール９において電力を受け取る側の磁気結合部位Ｘが電力接続口、他の機能モジュール９へ電力を供給する側の磁気結合部位Ｘが電力供給口となる。またゲート装置３の透明部Ｙが情報路接続口、機能モジュール９の両側の透明部Ｙが情報用接続口となり、これら接続口がモジュール化され、その配置と形状の形態が定形化（規格化）され、これに対応する機能モジュール９の透明部Ｙと磁気結合部Ｘも定形化されることで、コネクタとして機能する。
【００２９】
次に図３に示す設置例に基づいて機能モジュール９の種類別の構成を説明する。この図３の場合、空調機器の運転操作器を構成する機能モジュール９１と、空調機器の温度設定器を構成する機能モジュール９２と、空調機器の運転操作器を構成する機能モジュール９２とが設置されている。
【００３０】
まずミドルポジションＭＰのスイッチボックス２に取付けられるゲート装置３に対応する空調機器の運転操作器を構成する機能モジュール９１の機能部３０は、図９に示すように押釦スイッチからなる運転操作スイッチＳＷａ及び停止操作スイッチＳＷｂと、これら操作スイッチＳＷａ，ＳＷｂの操作データを生成して演算処理部２６にＩ／Ｏインターフェース２７を介して送るデータ生成機能を有するＣＰＵ部３３とで機能部３０を構成し、モジュール本体９Ａの前面部には図３に示すように各操作スイッチＳＷａ、ＳＷｂの操作釦を露出させている。この構成は照明器具のオン／オフする壁スイッチを構成する機能モジュール（図示せず）の場合にも同様な構成となる。
【００３１】
一方この機能モジュール９１と併設する空調機器の温度設定器を構成する機能モジュール９２は、図１０に示すように温度設定用の電子ボリュームからなる温度設定部ＶＲ１と、空調機器を一定時間動作させるタイマ動作の指示と解除を行うための押し釦型の操作スイッチＳＷ１と、温度設定部ＶＲ１の回転操作ダイヤル３１に組み込み、表示面を回転操作ダイヤル３１表面に露出させた設定温度表示用の液晶表示器３２と、温度設定部ＶＲ１の抵抗値で決まる設定温度の設定データ、更に押釦スイッチＳＷ１の押し操作に対応した運転／停止の操作データを生成して演算処理部２６へＩ／Ｏインターフェース２７を介して送るデータ生成機能及び設定された温度値を液晶表示器３２で表示させるための表示制御機能を備えたＣＰＵ部３２とで機能部３０を構成し、モジュール本体９Ａの前面部には図３に示すように回転ダイヤル３１、押釦スイッチＳＷ１の操作釦を露出させている。
【００３２】
またインターホンの親機を構成する機能モジュール９３は、図１１に示すように音量調整用電子ボリュームＶＲ２と、受話／送話兼用のスピーカＳＰと、スピーカＳＰを受話用スピーカとして使い場合にと、送話用マイクとして使う場合の切替え回路部３５と、切替え回路部３５に切替えを指示する押釦スイッチからなる通話スイッチＳＷ２と、押釦スイッチからなる電気錠の解錠操作用スイッチＳＷ３と、デジタル映像信号から映像を再生表示する液晶表示装置３４と、演算処理部２６からＩ／Ｏインターフェース２７を介して取り込んだ情報信号から伸張復号して得た受話音声データをＤ／Ａ変換し、アンプＡＰ１と切替え回路３５を通じてスピーカＳＰ側へ送出する機能及びスピーカＳＰから切替え回路３５とアンプＡＰ２を通じて取り込んだ送話音声信号をＡ／Ｄ変換し、圧縮符号化してＩ／Ｏインターフェース２７を介して演算処理部２６へ送出する音声処理機能及び、演算処理部２６からＩ／Ｏインターフェース２７を介して取り込んだ情報信号から伸張復号して得た画像データをデジタル映像信号として液晶表示器３４に送出する映像信号処理機能を有するとともに、スイッチＳＷ３の操作信号に基づいて電気錠解錠のデータを生成してＩ／Ｏインターフェース２７を介して演算処理部２６へ送出したり、通話スイッチＳＷ２の操作により切替え回路３５の切替え制御を行う信号を生成する機能を有するＣＰＵ部３２とで機能部３０を構成し、モジュール本体９Ａの前面部には図３に示すように液晶表示器３４の表示面を露出するとともに、音量調整用電子ボリュームＶＲ２の操作部、通話スイッチＳＷ２の操作釦、解錠操作用スイッチＳＷ３の操作釦を夫々露出するとともに、スピーカＳＰに対応する音声入出力用孔３６を開口している。
【００３３】
機能モジュール９としては以上の他に照明器具のオン・オフ操作用の壁スイッチや、電力供給を利用した電気カミソリ、電動歯ブラシ、携帯オーディオプレーヤ等の充電器等がある。また前記のインターホンの親機に対応する子機は、玄関に埋設されたスイッチボックス２に取り付けられたゲート装置３に連結される機能モジュール９として構成され、インターホンの通話機能と、訪問者撮影のＴＶカメラと、このＴＶカメラで撮影される画像を、情報信号として伝送するためのデータ処理を行うＣＰＵ部などからなる機能部３０を備えている。また解錠操作用スイッチＳＷ３に対応した電気錠の施／解錠の制御信号を生成して電気錠へ出力する機能を備えた機能モジュール９を玄関内の壁面に埋設したスイッチボックス２に取り付けたゲート装置３に連結する形で設置する。
【００３４】
一方機能モジュール９１，９２で操作される空調機器は、ハイポジションＨＰに設置されるスイッチボックス２に設けたゲート装置３のコンセント部３７に電源プラグを接続して電源供給を受ける。そして図１２（ａ）に示すようにゲート装置３に対して赤外線信号発信機能からなる機能モジュール９４を連結配設し、当該機能モジュール９４宛に室内の壁面に配設した操作側の機能モジュール９から情報線Ｌ２を介して操作や設定のデータからなる情報信号を送ることで、当該機能モジュール９４から受信したデータに対応した赤外線リモコン信号を、手持ち操作のリモコン発信器と同様に照明器具や空調機器のリモコン制御部の受光部に向けて発信させ、照明器具や空調機器を制御する構成とする。
【００３５】
尚照明器具の引掛プラグに対応しハイポジションＨＰのスイッチボックス２に取り付けられるするゲート装置３としては、図１２（ｂ）に示すようにコンセント部３７に代えて引掛栓刃接続口３８を設けたものを用いる。
【００３６】
またローポジションＬＰに設けられスイッチボックス３に取り付けられるゲート装置３にはコンセント部３７を備えたものが用いられ、それに連結する機能モジュール９としては足元灯等の機能を備えたものが用いられる。
【００３７】
ところで、本発明の配線システムの情報信号の伝送方式としては、ベースバンド伝送又はブロードバンド伝送の何れを採用しても良く、またプロトコルも何れでも良いが、音声、映像などを用いるインターホンの親機、子機との間にはＪＴ−Ｈ２３２パケットを基づいて音声・映像を相互に送るようし、また制御系にあったは操作側からの操作データにより１乃至複数のを操作できるような１対１又は１対Ｎの対応が可能なユニキャスト、ブロードキャストに対応する経路制御プロトコルを採用すれば良く、特に限定されるものではないので、説明は省略する。またゲート装置３間の使用プロトコルと、ゲート装置３に連なる機能モジュール８，９での使用プロトコルを異ならせ、例えばゲート装置３にプロトコル変換を行うようにしても良い。
【００３８】
而して本実施形態のシステムでは、ゲート装置３を予め建物の適所の壁面に埋設してあるスイッチボックス２に取付枠４を介して取り付け、先行配線されている電力線Ｌ１，情報線Ｌ２の接続を行い、更にこのゲート装置３の前面部に設けられた電線路接続口６Ａ，６Ｂに対してゲート装置３のコネクタ７の対応する被接続部７Ａ，７Ｂを接続するとともに、ゲート装置３をゲート装置３の前面部を覆うように取付枠４に取り付ける。このゲート装置３はこの取り付けた状態において壁面よりも前面部が突出し、両側面が室内側に露出することになる。
【００３９】
そして、拡張用の機能モジュール９はゲート装置３の露出した両側側面の一方に片側の側面を面接させ、この状態で連結体１０を用いて機能モジュール９とゲート装置３とを機械的に連結する。このとき機能モジュール９の背面はスイッチボックス２の側方の壁面に沿うことになり、例えば壁面にクロス貼り等が施されている場合、機能モジュール９の背面の位置が多少のずれていてもそれを吸収して背面を壁部に密接させた状態に配設することができ、機能モジュール９の前面部から操作力等が加わっても連結部位に加わる荷重を軽減することができる。
【００４０】
更に先に連結した機能モジュール９に別の機能モジュール９を連結する場合には、対向側面を面接させた状態で連結体１０により互いに機械的に連結する。このようにして図２に示すように順次機能モジュール９（９１…９３）を側方に連結することができる。尚ゲート装置３は両側に機能モジュール９を連結することができるため、ゲート装置３の両側方向に機能モジュール９を連結しても良い。このようにして機能モジュール９を連結した後、両端に位置する機能モジュール９又はゲート装置３の反連結部位の側部に着脱自在にエンドカバー２８を被着することで、機能モジュール９の連結施工が完了することになる。尚ゲート装置３に機能モジュール９を連結しない状態、つまり未使用のまま置いておく場合にはエンドカバー２８をゲート装置３の両側部に被着する。
【００４１】
ここでゲート装置３に連結できる機能モジュール９の数は連結部位に加わる荷重の大きさにより制限があり、またゲート装置３のＡＣ／ＡＣコンバータ１３の電力供給能力によっても制限される。
【００４２】
上述のように機能モジュール９を連結したゲート装置３からはＡＣ／ＡＣコンバータ１３によって商用電源ＡＣを所定電圧に降圧し且つ周波数を高い周波数に変換した低圧交流電源を隣接する機能モジュール９に磁気結合によって非接触で電力を供給されることになる。また電力が供給された機能モジュール９に更に機能モジュール９が連結されている場合には、内部回路を経て磁気結合による非接触で電力を更に供給する。このようにしてゲート装置３側から最外端に存在する機能モジュール９まで低圧交流電源を非接触で供給する電力路が構築されることになる。
【００４３】
またゲート装置３、機能モジュール９において、情報信号をＥ／Ｏ変換を経て送り出し、情報信号をＯ／Ｅ変換を経て取り込むことで、連結したゲート装置３と機能モジュール９との間、更に機能モジュール９，９間は、光信号からなる情報信号を発光素子ＬＥＤ、受光素子ＰＤを用いて非接触で双方向に伝送することができる情報路が構築されることになる。
【００４４】
而して配設施工が終了し、システムが完成した後は、対応する機能モジュール９間で情報信号の授受を行い、機能モジュール９が図３でインターホンの親機を構成する機能モジュール９３であれば子機の機能モジュール９との間でインターホンシステムを構成し、両者間での通話を可能とするとともに、子機側で撮像する来訪者を親機側の機能モジュール９３でモニタすることができる。また玄関の電気錠の解錠操作も遠隔により行えることになる
また機能モジュール９が図３で示すように空調機器の運転操作器を構成する機能モジュール９１，温度設定器を構成する機能モジュール９２の場合には、上述の赤外線リモコン発信機能を持つ機能ブロック９を通じて空調機器の遠隔制御システムを構成し、機能モジュール９１の操作スイッチＳＷａ，Ｗｂで空調機器の運転／停止の遠隔制御が、また機能モジュール９２の温度設定部ＶＲ１による温度設定や、押釦スイッチＳＷ１の操作によりタイマ運転等も同様に遠隔で行えることになる。
【００４５】
更にまた照明器具の遠隔操作等、各種負荷の遠隔操作も赤外線リモコン発信機能を備えた上述のような機能モジュール９４と、操作機器の機能を備えた機能モジュール９との組み合わせによって可能となる。更に情報信号を利用したり電力供給を利用する各種機能を機能モジュール９に組み込むことで、特別な配線施工などを行うことなくユニークな壁取り付け配線器具を実現することができる。
【００４６】
上述のゲート装置３及び機能モジュール９の磁気結合部位Ｘ、透明部Ｙはモジュール本体９Ａ（又は３Ａ）の平坦な両側側面に設けているが、例えば磁気結合部位Ｘを図１３（ａ）に示すように一方の側面では突出させた凸部２９ａで構成し、他方の側面ではこの凸部２９ａを係合し、対向側面同士が面接できるようになった凹部２９ｂにより形成しても良い。また磁気結合部位Ｘ及び透明部Ｙを共に、図１３（ｂ）に示すようにモジュール本体９Ａ（又は３Ａ）の一方の側面では凸部２９ａで形成し、他方の面では凹部２９ｂで形成しても良い。
【００４７】
このように凹凸係合により連結するもの同士を位置決めし、非接触による電力供給や光信号による情報信号の受け渡しが確実に行えることになる。
【００４８】
更に連結体１０は幅広溝８１ａ、幅狭溝８１ｂからなる連結用溝部８１に挿入し、その挿入状態を機能モジュール９では蓋部８３を閉めることで、またゲート装置３では化粧カバー８Ｂを被着することで保持するようになっているが、図１４（ａ）、（ｂ）に示すようにモジュール本体９Ａ（又は３Ａ）の上、下の背面に背方と側方が開口するとともに後方の開口位置から奥端までが斜め向きとなった連結用溝部８１’を長手方向に形成し、一方連結体１０をモジュール本体９Ａ（又は３Ａ）の正面の上下部に形成したテーパー面に沿わせる前片１０ａと、この前片１０ａの上端又は下端からモジュール９Ａ（又は３Ａ）の背面に沿わせる後片１０ｂと、この後片の先端から連結溝部８１’内に挿入係止される係止片１０ｃとで構成しても良い。この場合、図１４（ａ）に示すようにモジュール本体９Ａと９Ａ（又は３Ａ）の側面同士を面接させた状態で片側のモジュール本体９Ａ（又は３Ａ）の片側から連結用溝部８１’に係止片を挿入させ、更に図１４（ｂ）に示すように連結する側のモジュール本体９Ａ（又は３Ａ）側の連結用溝部８１’に略半分をスライド挿入させることで、隣接するモジュール本体９Ａ，９Ａ（又は３Ａ）を結合するのである。ここで連結体１０の係止片１０ｃが連結用溝部８１’に係合している状態であるから側方にスライドさせないかぎり連結状態は外れない。
【００４９】
更に図１５（ａ）に示すように磁気結合部位Ｘ及び透明部Ｙをモジュール本体９Ａ又は３Ａの一側面側では一つの凸部２９ａ’に設け、他方では凸部２９ａ’に対応する凹部２９ｂ’に設けて、これら凸部２９ａ’、２９ｂ’の凹凸結合で連結するもの同士の荷重を受けることで、連結体１０を用いた機械的結合を上部のみとしても良い。尚図示例では断面が略台形状の連結体１０をモジュール本体９Ａ（又は３Ａ）の上部側面においては幅方向に貫通させた断面が略台形の連結用溝部８１’’にスライド挿入する構成とするようになっている。
【００５０】
以上のように構成した本実施形態では、ユーザーの好みの利用形態に応じて自由に施工することができる。また、将来的に部屋のレイアウトが変化したり、新しい機能モジュール９を設置したい場合にも、機能モジュールの着脱のみで簡単に行え、取り換え性が確保されている。
【００５１】
また機能モジュール９の追加や削除に特別な施工が不要である。従って、一般ユーザーの好みに合わせて機能モジュール９を連結するだけで、拡張性が確保される。
（実施形態２）
上述の実施形態１のゲート装置３ではコンセント部３７或いは引掛栓刃接続口３８を設けて外部負荷へ電源を供給することができるようになっているが、本実施形態は図１６に示すようにコンセント部３７（或いは引掛栓刃接続口３８）への電力路にリレー接点や半導体スイッチからなるスイッチＳ１を挿入し、このスイッチＳ１の開閉を情報信号として送られくる操作データに基づいて制御する制御部を設けて、ゲート装置３をスイッチ開閉機能モジュールとして兼用させたものである。尚このゲート装置３に対応して操作スイッチを備え、その操作データを情報信号として送出する機能モジュール９を配線システム内に設けているのは言うまでもない。
【００５２】
ところで、上述の実施形態１、２を用いた配線システムでは、機能モジュール９への電力供給を、低圧交流電源に変換した後磁気結合によって非接触に行っているが、コネクタ接続によって直流電力を送るようにしもよい。また電力線搬送によって情報信号の伝送を行えば、電力路を情報路として用いることもできる。
【図面の簡単な説明】
【００５３】
【図１】実施形態１に用いる基本機能モジュールの分解斜視図である。
【図２】実施形態１を用いた配線システムの構成図である。
【図３】実施形態１の施工例の一部破断省略せる斜視図である。
【図４】実施形態１に用いる基本機能モジュールをスイッチボックスから外した状態の斜視図である。
【図５】実施形態１に用いるゲート装置の回路構成図である。
【図６】（ａ）は実施形態１に用いる連結体を用いた連結構成の説明図、（ｂ）は実施形態１に用いる連結体の斜視図である。
【図７】実施形態１に用いる機能モジュールを示し、（ａ）は正面図、（ｂ）は側面図、（ｃ）は蓋部を開き、連結体を外した状態の側面図である。
【図８】実施形態１に用いる機能モジュールの回路図である。
【図９】実施形態１に用いる空調機器の運転操作器を構成する機能モジュールの機能部の回路構成図である。
【図１０】実施形態１に用いる空調機器の温度設定器を構成する機能モジュールの機能部の回路構成図である。
【図１１】実施形態１に用いるインターホンの親機を構成する機能モジュールの機能部回路構成図である。
【図１２】（ａ）は実施形態１に用いる基本機能モジュールの斜視図、（ｂ）は実施形態１のゲート装置の別の例を示す斜視図である。
【図１３】（ａ）は実施形態１に用いる機能ブロックの別の例の正面図、（ｂ）は実施形態１の機能ブロックの別の例の正面図である。
【図１４】（ａ）は実施形態１に用いる連結結合構造の異なる機能ブロックの別の連結状態を示す斜視図、（ｂ）は同上の連結前を示す斜視図である。
【図１５】（ａ）は実施形態１の機能ブロックのその他の例を示し、（ａ）は正面図、（ｂ）は側面図、（ｃ）は連結体を外した連結前の斜視図である。
【図１６】実施形態２の回路構成図である。
【符号の説明】
【００５４】
２  スイッチボックス
３  ゲート装置
３７  コンセント部
【図１】
0004710447.tif 000002
【図２】
0004710447.tif 000003
【図３】
0004710447.tif 000004
【図４】
0004710447.tif 000005
【図５】
0004710447.tif 000006
【図６】
0004710447.tif 000007
【図７】
0004710447.tif 000008
【図８】
0004710447.tif 000009
【図９】
0004710447.tif 000010
【図１０】
0004710447.tif 000011
【図１１】
0004710447.tif 000012
【図１２】
0004710447.tif 000013
【図１３】
0004710447.tif 000014
【図１４】
0004710447.tif 000015
【図１５】
0004710447.tif 000016
【図１６】
0004710447.tif 000017